(57)【要約】【課題】精度の高い画像合成を行うことができる画像合成装置を提供すること。【解決手段】本発明の画像合成装置は、画像読取装置と、透明シートと、を具備している。画像読取装置は、フラットベットタイプであり、読取部と、制御部と、を備えている。透明シートは、その縁部分に座標を表す照合点が付され、読取部のサイズよりも大きい被読取媒体が収納される。透明シートに収納された被読取媒体が読取部上にセットされたとき、読取部は、透明シートに収納された被読取媒体を分割して読取り、被読取媒体の一部とその周囲の照合点とを表す複数の部分画像を生成する。制御部は、複数の部分画像が表す照合点を照合して、複数の部分画像を合成する画像合成処理を施し、被読取媒体とその周囲の照合点とを表す合成画像を生成する。【選択図】図１
2009239688.tif 000002
【特許請求の範囲】
【請求項１】
フラットベットタイプであり、読取部と、制御部と、を備えた画像読取装置と、
その縁部分に座標を表す照合点が付され、前記読取部のサイズよりも大きい被読取媒体が収納される透明シートと、
を具備し、
前記透明シートに収納された前記被読取媒体が前記読取部上にセットされたとき、
前記読取部は、
前記透明シートに収納された前記被読取媒体を分割して読取り、前記被読取媒体の一部とその周囲の前記照合点とを表す複数の部分画像を生成し、
前記制御部は、
前記複数の部分画像が表す前記照合点を照合して、前記複数の部分画像を合成する画像合成処理を施し、前記被読取媒体とその周囲の前記照合点とを表す合成画像を生成する、
画像合成装置。
【請求項２】
前記制御部は、
前記複数の部分画像の傾きを補正する傾き補正処理を施して、それぞれ、複数の補正部分画像を生成し、
前記複数の補正部分画像が表す前記照合点を照合して、前記複数の補正部分画像を合成する前記画像合成処理を施し、前記被読取媒体とその周囲の前記照合点とを表す前記合成画像を生成する、
請求項１に記載の画像合成装置。
【請求項３】
前記制御部は、
前記合成画像が表す前記照合点を消去する縁取り処理を施し、縁取り処理画像を生成する、
請求項１又は２に記載の画像合成装置。
【請求項４】
前記制御部は、
前記合成画像を表す画像領域のうちの、前記照合点を表す画像領域に、白色画像を挿入することにより、前記縁取り処理を施す、
請求項３に記載の画像合成装置。
【請求項５】
前記透明シートに収納された前記被読取媒体が複数の分割被読取媒体として分割されて前記読取部上にセットされたとき、ここで、前記複数の分割被読取媒体の各々は重複する部分を含み、
前記読取部は、
前記複数の分割被読取媒体を読取り、それぞれ前記複数の分割被読取媒体とその周囲の前記照合点とを表す前記複数の部分画像を生成し、
前記制御部は、
前記複数の部分画像の各々の重複する部分が表す前記照合点を照合して、前記複数の部分画像を合成する前記画像合成処理を施し、前記被読取媒体とその周囲の前記照合点とを表す前記合成画像を生成する、
請求項１〜４のいずれかに記載の画像合成装置。
【請求項６】
前記制御部は、
記憶部を備え、
前記複数の部分画像をそれぞれ複数の圧縮画像として圧縮し、前記記憶部に保存し、
前記記憶部に保存された前記複数の圧縮画像をそれぞれ前記複数の部分画像として解凍して、前記画像合成処理を施す、
請求項１に記載の画像合成装置。
【請求項７】
フラットベットタイプであり、読取部を備えた画像読取装置と、その縁部分に座標を表す照合点が付され、前記読取部のサイズよりも大きい被読取媒体が収納される透明シートと、用いる画像合成方法であって、
前記透明シートに収納された前記被読取媒体が前記読取部上にセットされたとき、
前記透明シートに収納された前記被読取媒体を分割して読取り、前記被読取媒体の一部とその周囲の前記照合点とを表す複数の部分画像を生成するステップと、
前記複数の部分画像が表す前記照合点を照合して、前記複数の部分画像を合成する画像合成処理を施し、前記被読取媒体とその周囲の前記照合点とを表す合成画像を生成するステップと、
を具備する画像合成方法。
【請求項８】
前記合成画像を生成するステップは、
前記複数の部分画像の傾きを補正する傾き補正処理を施して、それぞれ、複数の補正部分画像を生成し、
前記複数の補正部分画像が表す前記照合点を照合して、前記複数の補正部分画像を合成する前記画像合成処理を施し、前記被読取媒体とその周囲の前記照合点とを表す前記合成画像を生成する、
請求項７に記載の画像合成方法。
【請求項９】
前記合成画像を生成するステップは、
前記合成画像が表す前記照合点を消去する縁取り処理を施し、縁取り処理画像を生成する、
請求項７又は８に記載の画像合成方法。
【請求項１０】
前記合成画像を生成するステップは、
前記合成画像を表す画像領域のうちの、前記照合点を表す画像領域に、白色画像を挿入することにより、前記縁取り処理を施す、
請求項９に記載の画像合成方法。
【請求項１１】
前記透明シートに収納された前記被読取媒体が複数の分割被読取媒体として分割されて前記読取部上にセットされたとき、ここで、前記複数の分割被読取媒体の各々は重複する部分を含み、
前記複数の部分画像を生成するステップは、
前記複数の分割被読取媒体を読取り、それぞれ前記複数の分割被読取媒体とその周囲の前記照合点とを表す前記複数の部分画像を生成し、
前記合成画像を生成するステップは、
前記複数の部分画像の各々の重複する部分が表す前記照合点を照合して、前記複数の部分画像を合成する前記画像合成処理を施し、前記被読取媒体とその周囲の前記照合点とを表す前記合成画像を生成する、
請求項７〜１０のいずれかに記載の画像合成方法。
【請求項１２】
前記合成画像を生成するステップは、
前記複数の部分画像をそれぞれ複数の圧縮画像として圧縮し、記憶部に保存し、
前記記憶部に保存された前記複数の圧縮画像をそれぞれ前記複数の部分画像として解凍して、前記画像合成処理を施す、
請求項７に記載の画像合成方法。
【請求項１３】
フラットベットタイプであり、読取部を備えたコンピュータと、その縁部分に座標を表す照合点が付され、前記読取部のサイズよりも大きい被読取媒体が収納される透明シートと、用いる画像合成方法に適用されたコンピュータプログラムであって、
前記透明シートに収納された前記被読取媒体が前記読取部上にセットされたとき、
前記透明シートに収納された前記被読取媒体を分割して読取り、前記被読取媒体の一部とその周囲の前記照合点とを表す複数の部分画像を生成するステップと、
前記複数の部分画像が表す前記照合点を照合して、前記複数の部分画像を合成する画像合成処理を施し、前記被読取媒体とその周囲の前記照合点とを表す合成画像を生成するステップと、
の各ステップを前記コンピュータに実行させるコンピュータプログラム。
【請求項１４】
前記合成画像を生成するステップは、
前記複数の部分画像の傾きを補正する傾き補正処理を施して、それぞれ、複数の補正部分画像を生成し、
前記複数の補正部分画像が表す前記照合点を照合して、前記複数の補正部分画像を合成する前記画像合成処理を施し、前記被読取媒体とその周囲の前記照合点とを表す前記合成画像を生成する、
請求項１３に記載のコンピュータプログラム。
【請求項１５】
前記合成画像を生成するステップは、
前記合成画像が表す前記照合点を消去する縁取り処理を施し、縁取り処理画像を生成する、
請求項１３又は１４に記載のコンピュータプログラム。
【請求項１６】
前記合成画像を生成するステップは、
前記合成画像を表す画像領域のうちの、前記照合点を表す画像領域に、白色画像を挿入することにより、前記縁取り処理を施す、
請求項１５に記載のコンピュータプログラム。
【請求項１７】
前記透明シートに収納された前記被読取媒体が複数の分割被読取媒体として分割されて前記読取部上にセットされたとき、ここで、前記複数の分割被読取媒体の各々は重複する部分を含み、
前記複数の部分画像を生成するステップは、
前記複数の分割被読取媒体を読取り、それぞれ前記複数の分割被読取媒体とその周囲の前記照合点とを表す前記複数の部分画像を生成し、
前記合成画像を生成するステップは、
前記複数の部分画像の各々の重複する部分が表す前記照合点を照合して、前記複数の部分画像を合成する前記画像合成処理を施し、前記被読取媒体とその周囲の前記照合点とを表す前記合成画像を生成する、
請求項１３〜１６のいずれかに記載のコンピュータプログラム。
【請求項１８】
前記合成画像を生成するステップは、
前記複数の部分画像をそれぞれ複数の圧縮画像として圧縮し、記憶部に保存し、
前記記憶部に保存された前記複数の圧縮画像をそれぞれ前記複数の部分画像として解凍して、前記画像合成処理を施す、
請求項１３に記載のコンピュータプログラム。
【発明の詳細な説明】
【技術分野】
【０００１】
本発明は、フラットベットタイプの画像読取装置を具備する画像合成装置に関する。
【背景技術】
【０００２】
フラットベットタイプの画像読取装置は、被読取媒体を読取るための読取部を備えている。この画像読取装置では、被読取媒体が読取部上にセットされたとき、読取部は、被読取媒体を読取る。このような画像読取装置では、読取部の大きさを小さくすることで価格の安く、可搬性のある商品を提供することができる。しかし、読取部が小さくなることで、対応できる被読取媒体（例えば用紙）に制限が生じる。そこで、画像合成を行うことにより、読取部より大きい被読取媒体を読取る技術が開発されている。この場合、精度の高い画像合成を行うことが望まれる。
【０００３】
画像に関連する技術について紹介する。
【０００４】
特開平６−３６００９号公報には、画像編集装置が記載されている（特許文献１）。画像編集装置は、予め定める大きさの読取範囲の原稿像を読取り、画像信号を出力する画像読取手段と、読取った画像を記憶し、該画像に複数の基準点を設定し、画像の回転処理および拡大／縮小処理を行う画像編集手段と、画像編集後の画像を記憶する記憶手段と、記憶手段に記憶されている画像と、新たに記憶される画像との各画像に設定されている対応する基準点が一致するように合成する合成手段とを含んでいる。画像編集装置は、予め定められた読取範囲以上の大きさの原稿像を読取るときに、画像読取手段で原稿像を分割して読取り、読取られた部分画像を各部分画像に設定された基準点を用いて記憶手段で合成して、予め定められた読取範囲以上の原稿像を記憶手段において構成するようにしたことを特徴としている。
【０００５】
特開平１１−８８６５５号公報には、画像処理装置が記載されている（特許文献２）。画像処理装置は、分割して入力された複数の画像に対してつなぎ処理を施して１つの画像を生成するものである。画像処理装置は、（ａ）画像を入力する画像入力手段と、（ｂ）画像入力手段より得られる分割された複数の画像を記憶する画像記憶手段と、（ｃ）複数の画像について走査ラインごとにつなぎ位置を決定するつなぎ位置決定手段と、（ｄ）つなぎ位置決定手段で決定されたつなぎ位置に基づいて複数の画像のつなぎ処理を行うつなぎ処理手段と、を備えることを特徴としている。
【０００６】
特開２０００−１８８６７５号公報には、画像分割入力方法が記載されている（特許文献３）。画像分割入力方法は、原稿載置台上の原稿を走査し原稿上の画像を読取り可能な画像入力装置に用いられ、走査範囲よりも大きな原稿の画像を分割して入力するものである。この画像分割入力方法は、原稿の一部分を粗走査して第１の粗走査画像を得る工程と、第１の粗走査画像を表示する工程と、第１の粗走査画像から第１領域を決定する工程と、第１領域内の原稿を本走査して、第１の本走査画像を得る工程と、第１の粗走査画像から、接続位置を含む接続領域を決定する工程と、接続領域の少なくとも一部を含む原稿の第１領域に隣接した一部分を粗走査して、第２の粗走査画像を得る工程と、第２の粗走査画像を接続領域の画像と共に表示する工程と、第２の粗走査画像と接続領域の画像との相対位置を調整し、接続位置に基づいて第２の粗走査画像から第２領域を決定する工程と、第２領域内の原稿を本走査して第２の本走査画像を得る工程と、第１の本走査画像と第２の本走査画像とを接続する工程と、からなる。
【０００７】
【特許文献１】特開平６−３６００９号公報（請求項１）
【特許文献２】特開平１１−８８６５５号公報（請求項１）
【特許文献３】特開２０００−１８８６７５号公報（請求項１）
【発明の開示】
【発明が解決しようとする課題】
【０００８】
本発明の課題は、精度の高い画像合成を行うことができる画像合成装置を提供することにある。
【課題を解決するための手段】
【０００９】
本発明の画像合成装置は、画像読取装置と、透明シートと、を具備している。画像読取装置は、フラットベットタイプであり、読取部と、制御部と、を備えている。透明シートは、その縁部分に座標を表す照合点が付され、読取部のサイズよりも大きい被読取媒体が収納される。透明シートに収納された被読取媒体が読取部上にセットされたとき、読取部は、透明シートに収納された被読取媒体を分割して読取り、被読取媒体の一部とその周囲の照合点とを表す複数の部分画像を生成する。制御部は、複数の部分画像が表す照合点を照合して、複数の部分画像を合成する画像合成処理を施し、被読取媒体とその周囲の照合点とを表す合成画像を生成する。
【発明の効果】
【００１０】
以上により、本発明の画像合成装置によれば、透明シートの縁部分に照合点が付されている。そこで、画像読取装置において、透明シートに収納された被読取媒体が読取部上にセットされたとき、読取部は、透明シートに収納された被読取媒体を分割して読取り、これに対して、制御部は、上述の画像合成処理、縁取り処理を施すことにより、精度の高い画像合成を行うことができる。
【発明を実施するための最良の形態】
【００１１】
以下に添付図面を参照して、本発明の実施形態による画像合成装置について詳細に説明する。
【００１２】
（第１実施形態）
［構成］
本発明の第１実施形態による画像合成装置は、フラットベットタイプの画像読取装置と、透明シートと、を具備している。画像読取装置は、被読取媒体を読取るための読取部を備えている。透明シートは、読取部のサイズよりも大きい被読取媒体が収納される収納部分と、収納部分の周囲に照合点が付された縁部分と、を有している。照合点は、座標を表している。読取部は、透明シートに収納された被読取媒体を分割して読取る。画像読取装置は、読取った画像を合成し、ＦＡＸや印刷などに使用するための画像を保存する。
【００１３】
図１は、本発明の第１実施形態による画像合成装置における上記の画像読取装置として、２分割で読取を行ったときに必要な画像読取装置３０４の構成を示すブロック図である。
【００１４】
画像読取装置３０４は、上述の読取部である読取部１１２を備えている。
【００１５】
画像読取装置３０４は、コンピュータであり、更に、ＣＰＵ（Ｃｅｎｔｒａｌ  Ｐｒｏｃｅｓｓｉｎｇ  Ｕｎｉｔ）と、ＣＰＵに実行させるためのコンピュータプログラムが格納されたメモリである記憶部と、を備えている。ＣＰＵは、コンピュータが起動するときなどにコンピュータプログラムを記憶部から読取って実行する。
【００１６】
コンピュータプログラムは、部分画像読取部１０１、制御部１１３を含んでいる。制御部１１３は、第一部分画像補正処理部１０４、第二部分画像補正処理部１０５、画像合成処理部１０８、縁取り処理部１１０を含んでいる。
【００１７】
記憶部は、第一部分画像記憶部１０２、第二部分画像記憶部１０３、第一補正部分画像記憶部１０６、第二部分画像記憶部１０７、合成画像記憶部１０９、縁取り処理部１１０を有している。
【００１８】
透明シートに収納された被読取媒体が読取部１１２上にセットされたとき、部分画像読取部１０１は、透明シートに収納された被読取媒体を分割して読取り、被読取媒体の一部とその周囲の照合点とを表す複数の部分画像を生成する。具体的には、透明シートに収納された被読取媒体が複数の分割被読取媒体（この場合、第一、第二分割被読取媒体）として分割されて読取部１１２上にセットされる。また、第一、第二分割被読取媒体の各々は重複する部分を含んでいる。このとき、部分画像読取部１０１は、第一、第二分割被読取媒体を読取り、それぞれ第一、第二分割被読取媒体とその周囲の照合点とを表す複数の部分画像（この場合、第一、第二部分画像）を生成する。
【００１９】
第一部分画像記憶部１０２、第二部分画像記憶部１０３は、それぞれ、第一、第二部分画像を保存する記憶領域である。
【００２０】
第一部分画像補正処理部１０４、第二部分画像補正処理部１０５は、それぞれ、第一部分画像記憶部１０２、第二部分画像記憶部１０３から第一、第二部分画像を読み出す。第一部分画像補正処理部１０４、第二部分画像補正処理部１０５は、それぞれ、第一、第二部分画像の傾きを補正する傾き補正処理（詳細は後述する）を施し、複数の補正部分画像（この場合、第一、第二補正部分画像）を生成する。
【００２１】
第一補正部分画像記憶部１０６、第二部分画像記憶部１０７は、それぞれ、第一、第二補正部分画像を保存する記憶領域である。
【００２２】
画像合成処理部１０８は、第一補正部分画像記憶部１０６、第二部分画像記憶部１０７から第一、第二補正部分画像を読み出す。画像合成処理部１０８は、第一、第二補正部分画像が表す照合点を照合して、第一、第二補正部分画像を合成する画像合成処理（詳細は後述する）を施し、被読取媒体とその周囲の照合点とを表す合成画像を生成する。具体的には、画像合成処理部１０８は、画像合成処理において、第一、第二補正部分画像の各々の重複する部分が表す照合点を照合して、第一、第二補正部分画像を合成する。
【００２３】
合成画像記憶部１０９は、合成画像を保存する記憶領域である。
【００２４】
縁取り処理部１１０は、合成画像記憶部１０９から合成画像を読み出し、合成画像が表す照合点を消去する縁取り処理を施し、縁取り処理画像を生成する。具体的には、縁取り処理部１１０は、合成画像を表す画像領域のうちの、照合点を表す画像領域に、白色画像を挿入することにより、縁取り処理を施す。
【００２５】
縁取り処理画像記憶部１１１は、縁取り処理画像を保存する記憶領域である。
【００２６】
図２は、上述の透明シートとして、被読取媒体２０２が収納された照合点付き透明シート２０３の構成と読取り位置を示している。図２において、透明シート２０３の収納部分には、被読取媒体２０２が収納される。透明シート２０３は、可視光を透過する物質が用いられ、読取部１１２が被読取媒体２０２を読取るときに、被読取媒体２０２に影響を与えないものが使用される。透明シート２０３の縁部分には、上述の照合点である照合点２０１が付されている。照合点２０１は、被読取媒体２０２の位置を特定するための座標を表し、傾き補正処理、画像合成処理が実行されるときに使用される。被読取媒体２０２が２分割で読取られたとき、画像読取装置３０４の読取部１１２においての読取領域は図２の点線部で分かれる第一部分画像２０４、第二部分画像２０５の２箇所となる。このとき、第一部分画像２０４、第二部分画像２０５では画像の部分画像同士の継ぎ目近くの領域２０６をそれぞれの領域で重複して読取り、画像合成処理を実行するときに画像の欠落がないようにする。照合点２０１の位置については図４において更に詳しく説明する。
【００２７】
図３は、画像読取装置３０４が、透明シート２０３に収納された被読取媒体２０２を読取るときのイメージ図である。図３において、ｘ方向を読取部１１２の副走査方向３０６、ｙ方向を読取部１１２の主走査方向３０５としたとき、被読取媒体２０２が読取部１１２の２倍程度の場合を示している。これは、Ａ４用紙に対応している読取部１１２でＡ３用紙を読取りする場合などを想定している。透明シート２０３に収納された被読取媒体２０２が読取部１１２上にセットされたとき、読取部１１２は、被読取媒体２０２を読取る。読取部１１２は、読取部１１２の面積分しか画像読取りが行えないため、大きい被読取媒体２０２を読取るとき、分割して読取を行う。このとき、継ぎ目近くの領域２０６を重複して読取る必要があるため、読取部１１２は主走査方向３０５方向の被読取媒体２０２の長さの半分より長い必要がある。図２で示している、画像読込後の第一部分画像２０４、第二部分画像２０５を表す点線部の領域は、読取部１１２が読取る領域を示している。図３において、透明シート２０３に収納された被読取媒体２０２のうちの、読取部１１２に現在セットされている部分（上述の第一分割被読取媒体）が読取られるときの画像を第一部分画像２０４とし、読取部１１２に現在セットされていない部分（上述の第二分割被読取媒体）が読取られるときの画像を第二部分画像２０５としたとき、第二部分画像２０５の読取を行うときは、被読取媒体２０２が入れられた透明シート２０３を移動し、第二分割被読取媒体を読取部１１２にセットする。このとき、被読取媒体２０２が入れられた透明シート２０３の読取る向きは、画像読取装置３０４の構造により決める。読取りの向きに応じ、画像読取後の傾き補正処理において回転移動を行い、画像合成処理が実行されるときの向きの調整を行う。また、被読取媒体２０２を読取部１１２にセットする作業は人間の手で行うため、斜めに置く、想定した位置からずれるということが考えられるが、部分画像の読取において図２に示すように被読取媒体２０２の半分の領域と継ぎ目近くの領域を第一部分画像２０４、第二部分画像２０５で読取っている場合、画像補正、画像合成処理を行うために被読取媒体２０２の画像を再現することができる。
【００２８】
図４は、透明シート２０３の照合点２０１の位置を示すイメージ図である。図４において、照合点２０１はすべて透明シート２０３の縁部分４０１に配置されている。図２の照合点２０１のうち横方向の縁部分４０１にあるものは、それぞれ直線になっており、横方向縁部直線４０２上にあることとする。また、縦方向の縁にある照合点２０１は直線となっており、縦方向縁部直線４０４上にあることとする。横方向縁部直線４０２と縦方向縁部直線４０４は垂直であり、各々の照合点２０１より作成できる縦方向直線４０５、横方向直線４０３は交点において垂直となっている。それぞれの点の数や間隔、位置は画像読取装置３０４に記憶しておく必要がある。部分画像の切れ目となる部分にある中心部分横方向直線の距離４０６は、第一部分画像２０４と第二部分画像２０５のそれぞれの切れ目に最も近い照合点２０１の距離となっており、画像合成処理で使用する。画像読取装置３０４においての照合点２０１の位置の認識は、透明シート２０３の照合点２０１の位置、それぞれの隣あう点同士の間隔を画像読取装置３０４におい記憶しておくことで行う。透明シート２０３に入った被読取媒体２０２の部分画像を読取部１１２で読取りを行った画像中の照合点２０１が存在すると想定される領域において画像読取装置３０４に記憶されている点同士の間隔、大きさの一致する点を検出し照合点２０１として認識する。画像中の照合点２０１が存在すると想定される領域については、図３の読取部１１２の隅への透明シート２０３の配置３０７のように読取部１１２の隅に配置を行うことで、照合点２０１の存在する領域を推定できる。照合点２０１は、カラーを読取れる画像読取装置３０４においては、照合点２０１にそれぞれ異なる色をつけるまたは、赤、青、黄の順にするなど照合点２０１を色分けすることで透明シート２０３の照合点２０１を画像読取装置３０４で認識するときに、透明シート２０３のどの位置の照合点２０１であるかを認識してもよい。また、透明シート２０３の４つの角部分にある照合点２０１の色をそれぞれ任意の色にすることで、どの角の照合点２０１なのかを認識しても良い。白黒のみ読取ることのできる画像読取装置３０４においても、×、○、＋、△などの図形や直線の長さを変えたものを透明シート２０３の４つの角部分にある照合点２０１に図形をそれぞれ配置することでどの角の照合点２０１なのかを認識しても良い。
【００２９】
図５は、上述の傾き補正処理を示すイメージ図である。図５において、ｘ軸を読取部１１２の副走査方向３０６、ｙ軸を読取部１１２の主走査方向３０５としたとき、縦方向縁部直線５０３と主走査方向３０５の角度θ１を検出して図２の被読取媒体２０２を傾けてセットした場合の傾き補正処理を施す。また、このとき、主走査方向と副走査方向を入れ替えるときは回転処理を行う。本処理は被読取媒体２０２より読取りを行った部分画像５０５の傾きを補正するものである。被読取媒体２０２の傾き５０４はθ１、θ２、θ３のどの角度を使用して補正を行っても良い。角度にそれぞれ誤差がある場合θ１、θ２、θ３の平均値より補正を行っても良い。
【００３０】
図６は、上述の画像合成処理を示すイメージ図である。図６において、ｘ軸を読取部１１２の副走査方向３０６、ｙ軸を読取部１１２の主走査方向３０５としたとき、主走査方向３０５と副走査方向３０６の向きが図５の場合と入れ替わっているのは、傾き補正処理において９０度の回転処理が行われているからである。図１の画像合成処理部１０９における第一部分画像２０４と第二部分画像２０５とを合成する画像合成処理を説明する。第一部分画像２０４と第二部分画像２０５は照合点２０１を基に部分画像の平行移動を行い合成する。ｘ軸座標直線６０３は第一部分画像２０４と第二部分画像２０５の図２におけるそれぞれの照合点２０１のｘ軸座標である。平行移動を行うとき、第一部分画像２０４のｘ軸座標直線６０３と第二部分画像２０５のｘ軸座標直線６０３のｘ軸座標直線の差分６０６が距離０となるようにｘ軸方向の平行移動を行う。第一部分画像２０４と第二部分画像２０５のｙ軸座標直線６０４については、図１の画像合成処理部１０９に記憶されている図４にある中心部分横方向直線の距離４０６と同じになるように図６のｙ軸の直線間の距離６０６平行移動する。このとき、図４における中心部横方向直線の距離４０６が小さすぎる場合、部分画像読取時に第一部分画像２０４には中心部横方向直線の距離４０６に必要な部分の照合点２０１が存在するが、第二部分画像２０５には中心部横方向直線の距離４０６に必要な部分の照合点２０１が読取時の位置のずれにより存在しないことが考えられる。このため、中心部横方向直線の距離４０６は読取時の位置のずれを考慮した距離をとるのがよい。また、部分画像同士のどの照合点２０１との間隔を使用して平行移動を行ってもよい。照合点２０１の読取りにおいてそれぞれの照合点２０１の座標が読取りによってずれる場合、複数の照合点２０１の間隔により算出する平行移動の値を平均することで平行移動の精度を上げてもよい。
【００３１】
本発明の第１実施形態による画像合成装置によれば、透明シート２０３の縁部分に照合点２０１が付されている。そこで、画像読取装置３０４において、透明シート２０３に収納された被読取媒体２０２が読取部１１２上にセットされたとき、読取部１１２は、透明シート２０３に収納された被読取媒体を分割して読取り、被読取媒体の一部とその周囲の照合点２０１とを表す複数の部分画像２０４、２０５を生成する。これにより、制御部１１３は、複数の部分画像２０４、２０５が表す照合点２０１を照合して、複数の部分画像２０４、２０５を合成する画像合成処理を施し、被読取媒体とその周囲の照合点２０１とを表す合成画像を生成する。このとき、制御部１１３は、合成画像が表す照合点２０１を消去する縁取り処理を施し、縁取り処理画像を生成する。このため、精度の高い画像合成を行うことができる。
【００３２】
［動作］
図７Ａ、７Ｂは、本発明の第１実施形態による画像合成装置の動作を示すフローチャート図である。画像読取装置３０４は、画像合成モード実行指示が指定されたときに、画像合成モードを実行する。図７Ａ、７Ｂは画像合成モードが開始してから、画像が各記憶部１０２、１０３、１０６、１０７、１０９、１１１に保存される手順が示されている。
【００３３】
画像読取モードが実行される際、始めに、透明シート２０３に被読取媒体２０２が収納される（ステップ７０１）。
【００３４】
透明シート２０３に収納された被読取媒体２０２の一部として、第一分割被読取媒体が読取部１１２上にセットされる（ステップ７０２）。読取部１１２の部分画像読取部１０１は、第一分割被読取媒体を読取り、第一分割被読取媒体とその周囲の照合点２０１とを表す第一部分画像２０５を生成する（ステップ７０３）。部分画像読取部１０１は、その第一部分画像２０５に、照合点２０１が存在するか否かを確認する（ステップ７０４）。照合点２０１が存在しない場合（ステップ７０４−ＮＯ）、再度、ステップ７０２が実行される。照合点２０１が存在する場合（ステップ７０４−ＹＥＳ）、部分画像読取部１０１は、第一部分画像２０５を第一部分画像記憶部１０２に保存する。
【００３５】
第一部分画像補正処理部１０４は、第一部分画像記憶部１０２から第一部分画像２０５を読み出し、第一部分画像２０５の傾きを補正する傾き補正処理を施し、第一補正部分画像を生成する（ステップ７０５）。ステップ７０５において、前述したように（図５参照）、照合点２０１を基に被読取媒体２０２を読取ったときの傾きを検出し補正を行う。第一部分画像補正処理部１０４は、傾き補正処理が終わると第一部分画像の回転処理を行う（ステップ７０６）。これは読取時の画像の主走査、副走査が画像合成処理後に作成する画像と異なるため、９０度もしくは−９０度の回転を行う。処理終了後、第一部分画像補正処理部１０４は、第一部分画像を第一補正部分画像記憶部１０６に保存する（ステップ７０７）。
【００３６】
次に、読取部１１２にセットされている透明シート２０３の位置をずらし、透明シート２０３に収納された被読取媒体２０２の一部として、第二分割被読取媒体が読取部１１２上にセットされる（ステップ７０８）。読取部１１２の部分画像読取部１０１は、第二分割被読取媒体を読取り、第二分割被読取媒体とその周囲の照合点２０１とを表す第二部分画像２０４を生成する（ステップ７０９）。部分画像読取部１０１は、その第二部分画像２０４に、照合点２０１が存在するか否かを確認する（ステップ７１０）。照合点２０１が存在しない場合（ステップ７１０−ＮＯ）、再度、ステップ７０８が実行される。照合点２０１が存在する場合（ステップ７１０−ＹＥＳ）、部分画像読取部１０１は、第二部分画像２０４を第二部分画像記憶部１０３に保存する。
【００３７】
第二部分画像補正処理部１０５は、第二部分画像記憶部１０３から第二部分画像２０４を読み出し、第二部分画像２０４の傾きを補正する傾き補正処理を施し、第二補正部分画像を生成する（ステップ７１１）。ステップ７１１においても、前述したように（図５参照）、照合点２０１を基に被読取媒体２０２を読取ったときの傾きを検出し補正を行う。第二部分画像補正処理部１０５は、傾き補正処理が終わると第二部分画像の回転処理を行う（ステップ７１２）。処理終了後、第一部分画像補正処理部１０４は、第二部分画像を第二補正部分画像記憶部１０７に保存する（ステップ７１３）。
【００３８】
画像合成処理部１０８は、それぞれ第一補正部分画像記憶部１０６、第二部分画像記憶部１０７から第一、第二補正部分画像を読み出す。画像合成処理部１０８は、第一、第二補正部分画像の各々の重複する部分が表す照合点２０１を照合して、第一、第二補正部分画像を合成する画像合成処理を施し、被読取媒体とその周囲の照合点２０１とを表す合成画像を生成する（ステップ７１４）。画像合成処理につては図６に詳しく説明している。ステップ７１４において、画像合成処理部１０８は、合成画像を合成画像記憶部１０９に保存する。
【００３９】
縁取り処理部１１０は、合成画像記憶部１０９から合成画像を読み出す。縁取り処理部１１０は、合成画像を表す画像領域のうちの、照合点２０１を表す画像領域に、白色画像を挿入することにより、合成画像が表す照合点２０１を消去する縁取り処理を施し、縁取り処理画像を生成する（ステップ７１５）。ステップ７１５において、縁取り処理部１１０は、縁取り処理画像を出力用画像として縁取り処理画像記憶部１１１に保存する（ステップ７１６）。これにより、画像合成モードが終了する。
【００４０】
［効果］
以上の説明により、本発明の第１実施形態による画像合成装置によれば、透明シート２０３の縁部分に照合点２０１が付されている。そこで、画像読取装置３０４において、透明シート２０３に収納された被読取媒体２０２が読取部１１２上にセットされたとき、読取部１１２は、透明シート２０３に収納された被読取媒体を分割して読取り、これに対して、制御部１１３は、上述の画像合成処理、縁取り処理を施すことにより、精度の高い画像合成を行うことができる。
【００４１】
また、本発明の第１実施形態による画像合成装置における画像読取装置３０４によれば、読取部１１２が、透明シート２０３に収納された被読取媒体を分割して読取ったとき、制御部１１３は、上述の傾き補正処理を施す。これに対して、制御部１１３は、上述の画像合成処理、縁取り処理を施すことにより、精度の高い画像合成を行うことができる。
【００４２】
（第２実施形態）
［構成］
本発明の第２実施形態による画像合成装置では、上述の実施形態と重複する説明を省略する。
【００４３】
本実施形態として、その基本的構成は上記の通りであるが、使用する記憶媒体の容量を改善するため、フローについて更に工夫している。読取部で読取られた画像は、非常に容量が大きくなっており何らかの画像圧縮を行わない場合、画像情報を記憶する部分の容量が非常に大きくなる。本実施形態においては、画像の圧縮プロセスを導入し、更に事前読取を行い、照合点の位置より補正値を算出し、部分画像を読込みながら記憶媒体に記憶するときの容量を抑える方法を説明する。透明シートにおける照合点の位置については同じである。
【００４４】
図８は、本発明の第２実施形態による画像合成装置における上記の画像読取装置として、メモリ容量を小さくするための画像読取装置３０４の構成を示すブロック図である。
【００４５】
画像読取装置３０４は、読取部８１２を備えている。
【００４６】
画像読取装置３０４の記憶部に格納されたコンピュータプログラムは、部分画像読取部８０１、照合点読取部８０２、制御部８１３を含んでいる。制御部８１３は、画像補正値計算処理部８０３、角度補正部８０５、照合点部分の縁取り部８０６、部分画像圧縮部８０７、画像合成処理部８１０を含んでいる。
【００４７】
記憶部は、画像補正値記憶部８０４、部分画像記憶部８０８、照合点位置記憶部８０９、合成画像記憶部８１１を有している。
【００４８】
読取部８１２においては、部分画像読取８０１を行う以外に照合点読取８０２を行う。読取部８１２における画像の読込みは、部分画像を読取部８１２にセットしたときに行い、同一の画像の読込みを２回行う。
【００４９】
まず、透明シートに収納された被読取媒体の一部として、被読取媒体が複数の分割被読取媒体（この場合、第一、第二、第三、第四分割被読取媒体）として分割されて読取部８１２上にセットされる。このとき、１回目の読取りとして、読取部８１２の照合点読取部８０２は、事前に照合点の位置を読取る。即ち、複数の分割被読取媒体の各々における照合点の位置（座標）を表す照合点位置情報を読取る。２回目の読取りとして、読取部８１２の部分画像読取部８０１は、照合点を含む部分画像全体を読取る。即ち、複数の分割被読取媒体を読取り、それぞれ、複数の分割被読取媒体とその周囲の照合点とを表す複数の部分画像（この場合、第一、第二、第三、第四部分画像）を生成する。
【００５０】
画像補正値計算処理部８０３は、照合点位置情報に基づいて、それぞれ、第一、第二、第三、第四分割被読取媒体に対して、読取部８１２上に傾いてセットされているときの角度を算出し、第一、第二、第三、第四分割被読取媒体が傾いていない状態に補正するための複数の補正値（この場合、第一、第二、第三、第四補正値）を計算する。
【００５１】
画像補正値記憶部８０４は、第一、第二、第三、第四補正値を保存する記憶領域である。
【００５２】
角度補正部８０５は、画像補正値記憶部８０４に保存された第一、第二、第三、第四補正値に基づいて、それぞれ、第一、第二、第三、第四部分画像の傾きを補正する傾き補正処理を施し、複数の補正部分画像（この場合、第一、第二、第三、第四補正部分画像）を生成する。この補正は、図５同様に被読取媒体の傾き５０４より行われる。次工程において照合点部分の縁取り部８０６が縁取り処理を施した結果、第一、第二、第三、第四補正部分画像から照合点がなくなるため、角度補正部８０５は、事前に照合点の位置の記憶を行う。即ち、第一、第二、第三、第四補正部分画像を識別する情報と、第一、第二、第三、第四補正部分画像が表す照合点の位置と、を対応付ける。
【００５３】
照合点位置記憶部８０９は、上記の第一、第二、第三、第四補正部分画像を識別する情報と、上記の第一、第二、第三、第四補正部分画像が表す照合点の位置と、を対応付けて保存する記憶領域である。
【００５４】
照合点部分の縁取り部８０６は、第一、第二、第三、第四補正部分画像の各々を表す画像領域のうちの、照合点を表す画像領域に、白色画像を挿入することにより、合成画像が表す照合点を消去する縁取り処理を施し、複数の縁取り処理画像（この場合、第一、第二、第三、第四縁取り処理画像）を生成する。このとき、部分画像同士の画像合成後に縁部分の画像にずれが起こらないよう、図４における横方向縁部直線４０２、縦方向縁部直線４０４を基準に内側の画像の規定の長さを縁取りする。この長さを部分画像すべてにおいて統一することで縁部の画像のずれを起こらないようにする。
【００５５】
部分画像圧縮部８０７は、第一、第二、第三、第四縁取り処理画像を圧縮する画像圧縮処理を施して、それぞれ、複数の圧縮画像（第一、第二、第三、第四圧縮画像）を生成する。圧縮形式は何を使用しても問題ないが、フラットベットスキャナでは主走査のラインごとに読取りを行うため、本実施形態においては数ライン読込んだ後に随時画像処理を行い、ラインごとないし数ラインごとに圧縮を行う必要がある。
【００５６】
部分画像記憶部８０８は、第一、第二、第三、第四圧縮画像を保存する記憶領域である。
【００５７】
画像合成処理部８１０は、部分画像記憶部８０８に保存された第一、第二、第三、第四圧縮画像をそれぞれ第一、第二、第三、第四縁取り処理画像として解凍する。画像合成処理部８１０は、照合点位置記憶部８０９に保存された第一、第二、第三、第四補正部分画像が表す照合点の位置に基づいて、第一、第二、第三、第四縁取り処理画像の各々の重複する部分を照合して、第一、第二、第三、第四縁取り処理画像を合成する画像合成処理を施し、被読取媒体とその周囲の照合点とを表す合成画像を生成する。画像合成処理においては、部分画像記憶部８０８にある画像を、照合点位置記憶部８０９にある位置座標より平行移動する値を計算し、平行移動することで画像合成を行い、合成画像を生成する。
【００５８】
合成画像記憶部８１１は、合成画像を保存する記憶領域である。
【００５９】
部分画像記憶部８０８、照合点位置記憶部８０９は４分割しての読み込みのため４つの画像と照合点の位置が記憶されている。照合点位置記憶部８０９の位置座標の記憶方法、画像合成方法については、図１０、図１１で説明をする。
【００６０】
本実施形態において、記憶部の容量を小さくするために、ラインごとに処理を行う。また、画像補正角度読取り８０１は、１度目の読取りで照合点から画像の傾きを認識してあらかじめ画像補正値計算処理部８０３で補正値を作成し、画像補正記憶部８０４で記憶している。２回目の読取りである部分画像読取り８０１で画像の読取みを行ったとき、数ラインごとに角度補正部８０５にて画像の角度を補正し、照合点部分の縁取り部８０６にて照合点のある部分の縁取りを行い、処理を終えたラインから随時、部分画像圧縮部８０７にて画像の圧縮を行い、部分画像記憶部８０８に保存する。これにより圧縮前の画像は数ライン程度に抑えられるため読取り後の記憶部の容量が小さくなる。
【００６１】
図９は、被読取媒体９０８が収納された照合点９０９付き透明シート９０７の構成と読取り位置を示している。図９において、透明シート９０７の照合点９０９の位置は図４と同じとする。本実施形態においても、透明シート９０７に被読取媒体９０８を入れ、読取部８１２で部分画像の読取を行う。読取部８１２が被読取媒体９０８の半分の大きさものを読取ることを想定した大きさであるとき、図２のように最低２回部分画像の読取りを行うことで画像合成を行うことができるのだが、主走査方向と副走査方向が画像合成後の画像と９０度ずれてしまうことより、画像の９０度回転を行う必要が生じる。回転処理を行う場合、ライン画像２枚分の記憶領域が必要となるため、読取った画像の容量が大きいとき、容量の大きい記憶媒体を使用することとなりコストの増加につながる。このため、読込みを行うとき主走査と副走査が同一となるように読込みを行う。図９のイメージでは、第一部分画像９０１、第二部分画９０２、第三部分画像９０３、第四部分画像９０４に４分割して部分画像を読取ることを示している。回転処理を行わないことにより、圧縮をラインごと随時行うことができるようになり、圧縮方式を採用したときの記憶容量は小さくなる。部分画像それぞれの読込む領域は、透明シート９０７の４分の１より照合点１つ分大きくそれぞれの部分画像で読込んでいる必要がある。図９において、ｘ軸を読取部８１２の副走査方向９０５、ｙ軸を読取部８１２の主走査方向９０６とする。１回目の読取りである照合点読取り８０２において照合点９０９を読込むとき、それぞれ部分画像における縁部直線９１０の部分周辺のみの読取りを行い傾きの角度を図５と同様に算出する。読取領域を制限することで記憶部の要領を押さえることができる。このとき、読取部８１２の隅に透明シート９０７をつけて読取りを行うことを条件とすることで、読取時に照合点９０９の位置の認識が容易となる。
【００６２】
画像合成処理部８１０においては、図８の照合点位置記憶部８０９において保存されている照合点９０９の位置情報を基に、部分画像記憶部８０８に保存している画像の合成を行う。画像合成処理部８１０においては、図７Ａ、Ｂのように分割して読取りを行った場合、画像合成後、圧縮保存したときに同一のラインとなる部分の合成を始めに行う。すなわち、第一部分画像と第二部分画像、第三部分画像と第四部分画像の合成をそれぞれ行う。合成するとき部分画像は部分画像圧縮部８０７で圧縮されているため、合成するラインをそれぞれの合成する画像より解凍を行い、合成を行う。このとき、それぞれの部分画像において、どのライン同士を合成するかについては、照合点位置記憶部８０９に記憶されている照合点座標情報から算出される平行移動する距離により決定する。照合点位置記憶部８０９は照合点９０９の位置座標をすべて記憶しているものとし、平行移動する距離については、合成する部分画像同士に存在する同一の照合点９０９が一致する位置に平行移動するように、平行移動する距離を算出する。
【００６３】
図１０は、第一部分画像と第二部分画像のラインごとの画像合成処理を示すイメージ図である。図１０において、第一部分画像９０１と第二部分画像９０２は画像合成時に縁部分がすでになくなっており、図８の照合点位置記憶部８０９に照合点９０９の座標が保存されているが、合成が分かりやすいよう縁部分が入った状態で図１０は示している。解凍は通常ラインごともしくは数ラインごとに行い、第一部分画像解凍ライン中の合成に使用する部分１００３と、第二部分画像の解凍ライン中の合成に使用する部分１００４を合成し再度圧縮を行う。圧縮するときに数ライン必要なときは数ラインごとに解凍、圧縮を行う必要がある。このとき、第一部分画像９０１のラインと第二部分画像９０２のラインの読み出しの目印として、照合点９０９を使用し、それぞれの部分画像が持っている同一の照合点９０９の位置座標を境界にしてそれぞれの画像のライン読み出しを行う。図９における第三部分画像９０３と第四部分画像９０４も同様の操作で合成を行う。第一部分画像９０１と第二部分画像９０２から合成された画像と、第三部分画像９０３と第四部分画像９０４から合成された画像を次に合成する。このときもそれぞれの合成した画像の重なる部分にある同一の照合点９０９を境界にして合成する。その照合点９０９による境界が数ラインごとの圧縮方式である場合で解凍を行わなければ境界となる部分がないときは解凍し合成を行い、解凍の必要ない場合、そのまま合成を行い必要がない重複した画像は削除する。以上の方法で画像の合成を行うことができる。また、読取部８１２より４倍程度大きい被読取媒体９０８を読込み合成するときに、本画像合成方法を使用しても良い。
【００６４】
図１１は、画像合成処理の別の方法として、４分割部分画像を平行移動させるときの値の算出方法を示すイメージ図である。図１１において、部分画像は第一部分画像９０１、第二部分画像９０２、第三部分画像９０３、第四部分画像９０４に４分割して読込みを行っている。距離１１０５、距離１１０６は主走査、副走査のいずれかにおける照合点９０９間の距離とする。距離１１０５は距離が０となるように平行移動を行う。距離１１０６は透明シート９０７における図４においての照合点９０９同士の間隔と同じになるように画像合成を行う。このようにして画像合成時の平行移動の値を算出してもよい。また、読取部８１２より４倍程度大きい被読取媒体９０８を読込み合成するときに、本画像合成方法を使用しても良い。
【００６５】
［動作］
図１２は、本発明の第２実施形態による画像合成装置の動作を示すフローチャート図である。画像読取装置３０４は、画像合成モード実行指示が指定されたときに、画像合成モードを実行する。
【００６６】
画像読取モードが実行される際、始めに、透明シート９０７に被読取媒体９０８が収納される（ステップ１２０１）。
【００６７】
透明シート９０７に収納された被読取媒体９０８の一部として、分割被読取媒体が読取部８１２上にセットされる（ステップ１２０２）。その後に、１回目の読取りとして、読取部８１２の照合点読取部８０２は、照合点９０９の位置（座標）を表す照合点位置情報を読取る（ステップ１２０３）。照合点読取部８０２は、その照合点位置情報に、照合点９０９が存在するか否かを確認する（ステップ１２０４）。照合点９０９が存在しない場合（ステップ１２０４−ＮＯ）、再度、ステップ１２０２が実行される。照合点９０９が存在する場合（ステップ１２０４−ＹＥＳ）、画像補正値計算処理部８０３は、照合点位置情報に基づいて、上記の分割被読取媒体に対して、読取部８１２上に傾いてセットされているときの角度を算出し、分割被読取媒体が傾いていない状態に補正するための補正値を計算する。画像補正値計算処理部８０３は、その補正値を画像補正値記憶部８０４に保存する。このとき、２回目の読取りとして、読取部８１２の部分画像読取部８０１は、分割被読取媒体を読取り、その分割被読取媒体とその周囲の照合点９０９とを表す部分画像を生成する（ステップ１２０５）。
【００６８】
角度補正部８０５は、画像補正値記憶部８０４に保存された補正値に基づいて、部分画像の傾きを補正する傾き補正処理を施し、補正部分画像を生成する（ステップ１２０６）。ステップ１２０６において、角度補正部８０５は、補正部分画像を識別する情報と、補正部分画像が表す照合点９０９の位置と、を対応付けて照合点位置記憶部８０９に保存する。照合点部分の縁取り部８０６は、補正部分画像を表す画像領域のうちの、照合点９０９を表す画像領域に、白色画像を挿入することにより、合成画像が表す照合点９０９を消去する縁取り処理を施し、縁取り処理画像を生成する（ステップ１２０７）。部分画像圧縮部８０７は、縁取り処理画像を圧縮する画像圧縮処理を施して、圧縮画像を生成する（ステップ１２０８）。部分画像圧縮部８０７は、その圧縮画像を部分画像記憶部８０８に保存する（ステップ１２０９）。
【００６９】
４分割して部分画像を読込むために、透明シート９０７に収納された被読取媒体９０８の一部として、次の分割被読取媒体が読取部８１２上にセットされる（ステップ１２１０−ＮＯ）、再度、ステップＳ１２０２が実行される。
【００７０】
４分割された部分画像（第一部分画像９０１、第二部分画９０２、第三部分画像９０３、第四部分画像９０４）が生成され、その圧縮画像（第一、第二、第三、第四圧縮画像）が部分画像記憶部８０８に保存された場合（ステップ１２１０−ＹＥＳ）、画像合成処理部８１０は、部分画像記憶部８０８に保存された第一、第二、第三、第四圧縮画像をそれぞれ第一、第二、第三、第四縁取り処理画像として解凍する。画像合成処理部８１０は、照合点位置記憶部８０９に保存された第一、第二、第三、第四補正部分画像が表す照合点９０９の位置に基づいて、第一、第二、第三、第四縁取り処理画像の各々の重複する部分を照合して、第一、第二、第三、第四縁取り処理画像を合成する画像合成処理を施し、被読取媒体とその周囲の照合点９０９とを表す合成画像を生成する（ステップ１２１１）。画像合成処理部８１０は、合成画像を合成画像記憶部８１１に保存する（ステップ１２１２）。これにより、画像合成モードが終了する。
【００７１】
［効果］
以上の説明により、本発明の第１実施形態による画像合成装置における画像読取装置３０４によれば、画像圧縮を効率よく行うことで使用するメモリ領域を削減することができる。この場合、照合点位置情報の事前読取を行い、この情報を基に画像合成処理を実行することが好ましい。
【図面の簡単な説明】
【００７２】
【図１】本発明の第１実施形態による画像合成装置における画像読取装置として、２分割で読取を行ったときに必要な画像読取装置３０４の構成を示すブロック図である。
【図２】本発明の第１実施形態による画像合成装置において、被読取媒体２０２が収納された照合点２０１付き透明シート２０３の構成と読取り位置を示している。
【図３】本発明の第１実施形態による画像合成装置における画像読取装置３０４が、透明シート２０３に収納された被読取媒体２０２を読取るときのイメージ図である。
【図４】本発明の第１、第２実施形態による画像合成装置における透明シート２０３の照合点２０１の位置を示すイメージ図である。
【図５】本発明の第１実施形態による画像合成装置における傾き補正処理を示すイメージ図である。
【図６】本発明の第１実施形態による画像合成装置における画像合成処理を示すイメージ図である。
【図７Ａ】本発明の第１実施形態による画像合成装置の動作を示すフローチャート図である。
【図７Ｂ】本発明の第１実施形態による画像合成装置の動作を示すフローチャート図である。
【図８】本発明の第２実施形態による画像合成装置における上記の画像読取装置として、メモリ容量を小さくするための画像読取装置３０４の構成を示すブロック図である。
【図９】本発明の第２実施形態による画像合成装置において、被読取媒体９０８が収納された照合点９０９付き透明シート９０７の構成と読取り位置を示している。
【図１０】本発明の第２実施形態による画像合成装置における、ラインごとの画像合成処理を示すイメージ図である。
【図１１】本発明の第２実施形態による画像合成装置において、画像合成処理の別の方法として、４分割部分画像を平行移動させるときの値の算出方法を示すイメージ図である。
【図１２】本発明の第２実施形態による画像合成装置の動作を示すフローチャート図である。
【符号の説明】
【００７３】
１０１    部分画像読取部、
１０２    第一部分画像記憶部、
１０３    第二部分画像記憶部、
１０４    第一部分画像補正処理部、
１０５    第二部分画像補正処理部、
１０６    第一補正部分画像記憶部、
１０７    第二部分画像記憶部、
１０８    画像合成処理部、
１０９    合成画像記憶部、
１１０    縁取り処理部、
１１１    縁取り処理画像記憶部、
１１２    読取部、
１１３    制御部、
２０１    照合点、
２０２    被読取媒体、
２０３    透明シート、
２０４    第一部分画像、
２０５    第二部分画像、
２０６    領域、
３０４    画像読取装置、
３０５    ｙ軸（主走査方向）、
３０６    ｘ軸（副走査方向）、
３０７    画像読取部の隅への透明シートの配置、
４０１    縁部分、
４０２    横方向縁部直線、
４０３    横方向直線、
４０４    縦方向縁部直線、
４０５    縦方向直線、
４０６    中心部分横方向直線の距離、
５０３    縦方向縁部直線、
５０４    被読取媒体の傾き、
５０５    部分画像、
６０３    ｘ軸座標直線、
６０４    ｙ軸座標直線、
６０５    ｘ軸座標直線の差分、
６０６    ｙ軸の直線間の距離、
７０１〜７１６    処理、
８０１    部分画像読取部、
８０２    照合点読取部、
８０３    画像補正値計算処理部、
８０４    画像補正値記憶部、
８０５    角度補正部、
８０６    照合点部分の縁取り部、
８０７    部分画像圧縮部、
８０８    部分画像記憶部、
８０９    照合点位置記憶部、
８１０    画像合成処理部、
８１１    合成画像記憶部、
８１２    読取部、
８１３    制御部、
９０１    第一部分画像、
９０２    第二部分画像、
９０３    第三部分画像、
９０４    第四部分画像、
９０５    ｘ軸（副走査方向）、
９０６    ｙ軸（主走査方向）、
９０７    透明シート、
９０８    被読取媒体、
９０９    照合点、
９１０    縁部直線、
１００３  第一部分画像解凍ライン中の合成に使用する部分、
１００４  第二部分画像の解凍ライン中の合成に使用する部分、
１００５  照合点を目安に引いた直線イメージ、
１１０５  距離、
１１０６  距離、
１２０１〜１２１２    処理、
【図１】
2009239688.tif 000003
【図２】
2009239688.tif 000004
【図３】
2009239688.tif 000005
【図４】
2009239688.tif 000006
【図５】
2009239688.tif 000007
【図６】
2009239688.tif 000008
【図７Ａ】
2009239688.tif 000009
【図７Ｂ】
2009239688.tif 000010
【図８】
2009239688.tif 000011
【図９】
2009239688.tif 000012
【図１０】
2009239688.tif 000013
【図１１】
2009239688.tif 000014
【図１２】
2009239688.tif 000015